(57)【要約】【課題】メッキが施されている外輪の軌道面を研磨する場合に、加工基準面を設けるために外輪のメッキを一部剥がさなくても済むようにする。【解決手段】表面にメッキが施されている外輪１１は、内周に軌道面１１ａ，１１ｂを有していると共に、径方向外側に延びて設けられているフランジ部５２を有している。この軌道面１１ａ，１１ｂを砥石７により研磨するは、先ず、外周面２２が真円状である環状の治具２１を外輪１１に同心状として取り付ける。そして、治具２１が取り付けられている外輪１１を回転させ、軌道面１１ａ，１１ｂに対して砥石７を径方向内側から押し当てると共に、治具２１の外周面２２に対してシュー８を径方向外側から接触させて研磨を行う。【選択図】      図３
2017124474.tif 000002
【特許請求の範囲】
【請求項１】
内周又は外周に軌道面を有していると共に径方向外側に延びて設けられているフランジ部を有し、かつ、表面にメッキが施されている軌道輪の、当該軌道面を砥石により研磨する方法であって、
周面が真円状である環状の治具を前記軌道輪に同心状として取り付ける準備工程と、
前記治具が取り付けられている前記軌道輪を当該治具の中心線回りに回転させ、前記軌道面に対して砥石を径方向一方側から押し当てると共に当該治具の前記周面に対してシューを径方向他方側から接触させて研磨を行う加工工程と、を含む、軌道輪の研磨方法。
【請求項２】
前記準備工程では、前記フランジ部が有する第一穴と、前記治具が有する第二穴とに軸部材を挿し入れて当該フランジ部に当該治具を固定する、請求項１に記載の軌道輪の研磨方法。
【請求項３】
前記フランジ部の前記第一穴はボルト穴であり、前記軸部材は前記ボルト穴に螺合するボルトであり、前記治具の前記第二穴は前記ボルトを挿通させる貫通穴であり、前記ボルトを前記ボルト穴に螺合させて締め付けることで、前記軌道輪に前記治具を取り付ける、請求項２に記載の軌道輪の研磨方法。
【請求項４】
内周又は外周に軌道面を有していると共に径方向外側に延びて設けられているフランジ部を有し、かつ、表面にメッキが施されている軌道輪の、当該軌道面を砥石により研磨するために用いられる補助具であって、
周面が真円状であると共に前記フランジ部が有する複数の第一穴それぞれの中心を通過する仮想円と直径が同じピッチ円に沿って複数の第二穴が設けられている環状の治具と、
前記フランジ部が有する前記第一穴と前記治具が有する前記第二穴とに挿し入れ当該フランジ部に当該治具を取り付けるための軸部材と、を備えている補助具。
【発明の詳細な説明】
【技術分野】
【０００１】
本発明は、軌道輪の研磨方法及び補助具に関する。
【背景技術】
【０００２】
自動車等の車両において、車輪を回転自在に支持するために車輪用軸受装置（ハブユニット）が用いられている。車輪用軸受装置は、車体側の懸架装置に固定される外輪と、車輪が取り付けられるハブ軸と、これら外輪とハブ軸との間に設けられている転動体とを備えている。車輪用軸受装置において防錆効果を高めるために、外輪及びハブ軸にメッキを施すことが知られている（例えば、特許文献１参照）。
【先行技術文献】
【特許文献】
【０００３】
【特許文献１】特開２００５−２３９１１５号公報
【発明の概要】
【発明が解決しようとする課題】
【０００４】
図５に示すように、外輪９０の内周面には玉等からなる転動体が転動する軌道面９１が形成されており、転動体と良好な接触状態を得るために軌道面９１には研磨加工が施される。研磨加工は、軌道面９１に砥石９９を接触させることで行われるが、そのために、外輪９０の外周面の一部を加工基準面９２としており、この加工基準面９２にシュー（当て金）９８を接触させている。これにより、砥石９９が外輪９０を押す力をシュー９８が受けることができ、軌道面９１を精度よく研磨することが可能となる。なお、加工基準面９２は、外輪９０の外周面の一部に対して機械加工（旋削及び研磨）を行うことにより設けられている。
【０００５】
しかし、外輪９０にメッキを施した車輪用軸受装置の場合、加工基準面９２を外輪９０の外周面に設けるためには、その一部に対して機械加工を行うことが必要であり、これにより、外輪９０に施したメッキを一部剥がすことになる。加工基準面９２では、外輪９０の素地が露出するため、発錆の原因（起点）となる。
【０００６】
そこで、本発明では、メッキが施されている軌道輪の軌道面を研磨する方法であって、加工基準面を設けるために軌道輪のメッキを一部剥がさなくても済む研磨方法、及びこの研磨方法で用いられる補助具を提供することを目的とする。
【課題を解決するための手段】
【０００７】
本発明の軌道輪の研磨方法は、内周又は外周に軌道面を有していると共に径方向外側に延びて設けられているフランジ部を有し、かつ、表面にメッキが施されている軌道輪の、当該軌道面を砥石により研磨する方法であって、周面が真円状である環状の治具を前記軌道輪に同心状として取り付ける準備工程と、前記治具が取り付けられている前記軌道輪を当該治具の中心線回りに回転させ、前記軌道面に対して砥石を径方向一方側から押し当てると共に当該治具の前記周面に対してシューを径方向他方側から接触させて研磨を行う加工工程と、を含む。
【０００８】
この軌道輪の研磨方法によれば、治具を軌道輪に同心状として取り付けることで、治具の前記周面を、軌道輪を研磨する際の加工基準面とすることができる。そして、軌道輪の軌道面に対して砥石を径方向一方側から押し当てると共に、治具の前記周面（加工基準面）にシューを径方向他方側から接触させることで、砥石が軌道輪を押す力をシューが受けることができ、軌道面を精度よく研磨することが可能となる。したがって、軌道輪に加工基準面を設ける必要がなくなる。このため、表面にメッキが施されている軌道輪の一部に対して、従来のように機械加工を行って加工基準面を設ける必要がなくなり、軌道輪の一部のメッキが剥がされないで済む。
【０００９】
また、前記準備工程では、前記フランジ部が有する第一穴と、前記治具が有する第二穴とに軸部材を挿し入れて当該フランジ部に当該治具を固定するのが好ましい。
この場合、軌道輪のフランジ部の第一穴と治具の第二穴とに軸部材を挿し入れることで、治具を軌道輪に対して同心状に簡単に取り付けることができる。
【００１０】
また、前記フランジ部の前記第一穴はボルト穴であり、前記軸部材は前記ボルト穴に螺合するボルトであり、前記治具の前記第二穴は前記ボルトを挿通させる貫通穴であり、前記ボルトを前記ボルト穴に螺合させて締め付けることで、前記軌道輪に前記治具を取り付けるのが好ましい。
この場合、ボルト穴にメッキが施されていても、治具を取り付けるための前記ボルトにより、余分なメッキを除去することが可能となる。
【００１１】
また、本発明は、内周又は外周に軌道面を有していると共に径方向外側に延びて設けられているフランジ部を有し、かつ、表面にメッキが施されている軌道輪の、当該軌道面を砥石により研磨するために用いられる補助具であって、周面が真円状であると共に前記フランジ部が有する複数の第一穴それぞれの中心を通過する仮想円と直径が同じピッチ円に沿って複数の第二穴が設けられている環状の治具と、前記フランジ部が有する前記第一穴と前記治具が有する前記第二穴とに挿し入れ当該フランジ部に当該治具を取り付けるための軸部材と、を備えている。
【００１２】
この補助具によれば、軸部材を用いて治具を軌道輪に取り付けると、この治具の前記周面を、軌道輪を研磨する際の加工基準面とすることができる。そして、軌道輪の軌道面に対して砥石を径方向一方側から押し当てると共に、治具の前記周面（加工基準面）にシューを径方向他方側から接触させることで、砥石が軌道輪を押す力をシューが受けることができ、軌道面を精度よく研磨することが可能となる。したがって、軌道輪に加工基準面を設ける必要がなくなる。このため、表面にメッキが施されている軌道輪の一部に対して、従来のように機械加工を行って加工基準面を設ける必要がなくなり、軌道輪の一部のメッキが剥がされないで済む。
【発明の効果】
【００１３】
本発明によれば、メッキが施されている軌道輪の軌道面を研磨する場合において、従来のように軌道輪の一部に対して機械加工を行って加工基準面を設ける必要がなくなり、メッキを剥がさなくても済む。このため、防錆効果の高い軸受が得られる。
【図面の簡単な説明】
【００１４】
【図１】車輪用軸受装置の断面図である。
【図２】外輪を軸方向から見た正面図である。
【図３】研磨方法を説明する図である。
【図４】他の形態の研磨方法を説明する図である。
【図５】従来の研磨方法を説明する図である。
【発明を実施するための形態】
【００１５】
以下、本発明の実施の形態を図面に基づいて説明する。
〔車輪用軸受装置について〕
図１は車輪用軸受装置の断面図である。この車輪用軸受装置（ハブユニット）１０は、例えば自動車の車体側の懸架装置に取り付けられ、車輪を回転自在に支持するものである。車輪用軸受装置１０は、外輪１１と、ハブ軸１２と、転動体１３と、保持器１４と、密封装置１５，１７を備えている。
【００１６】
外輪１１は、円筒状の部材であり、例えば高炭素鋼により製造されている。外輪１１は、円筒形状である外輪本体５１と、この外輪本体５１から径方向外側に延びて設けられている固定用のフランジ部５２とを有している。図２に示すように、本実施形態では、フランジ部５２は、外輪本体５１から突出している四つの突出部５２ａ，５２ｂ，５２ｃ，５２ｄにより構成されており、突出部５２ａ，５２ｂ，５２ｃ，５２ｄそれぞれに穴（第一穴）５４が形成されている。これら穴５４は、一つの仮想円（ピッチ円）Ｃ１に沿って設けられている。つまり、外輪１１のフランジ部５２には、周方向に沿って複数の穴５４が形成されている。そして、この穴５４に、固定用のボルト６８（図１参照）が取り付けられる。ボルト６８を用いてフランジ部５２が車体側部材であるナックル５３に固定されることで、外輪１１を含む車輪用軸受装置１０はナックル５３に固定される。
【００１７】
車輪用軸受装置１０が車体側に固定された状態で、ハブ軸１２が有する後述の車輪取り付け用のフランジ部５６側が車両の外側となる。つまり、図１の左側（フランジ部５６側）が車両アウタ側となり、図１の右側が車両インナ側となる。また、図１の左右方向が車輪用軸受装置１０の軸方向となる。外輪１１の内周面には、車両アウタ側の外輪軌道面１１ａと、車両インナ側の外輪軌道面１１ｂとが形成されている。
【００１８】
ハブ軸１２は、軸本体部５５と、車輪取り付け用のフランジ部５６と、内輪部材５７とを有している。これらは、例えば高炭素鋼により製造されている。軸本体部５５は軸方向に長い軸部材である。フランジ部５６は、軸本体部５５の車両アウタ側から径方向外側に延びて設けられており、円環形状を有している。フランジ部５６には、穴（第二穴）５８が周方向に沿って複数形成されており、この穴５８に、車輪取り付け用のボルト６９が取り付けられている。フランジ部５６には、図外の車輪の他にブレーキロータが取り付けられる。内輪部材５７は、環状の部材であり、軸本体部５５の車両インナ側に嵌合して固定されている。軸本体部５５の車両アウタ側の外周面に軸軌道面１２ａが形成され、内輪部材５７の外周面に内輪軌道面１２ｂが形成されている。
【００１９】
車両アウタ側の外輪軌道面１１ａと軸軌道面１２ａとは径方向に対向し、車両インナ側の外輪軌道面１１ｂと内輪軌道面１２ｂとは径方向に対向し、車両アウタ側及びインナ側それぞれの軌道面間に転動体１３である玉が配置されている。転動体（玉）１３は二列設けられており、各列の転動体（玉）１３は、環状の保持器１４によって保持されている。外輪１１とハブ軸１２との間に転動体１３が設けられていることで、ハブ軸１２は、外輪１１の径方向内側において外輪１１と同心状に配置された構成となる。
【００２０】
外輪１１の全体にはメッキが施されている。ただし、後に説明する方法によって、外輪１１の内周面は、外輪軌道面１１ａ，１１ｂを含めて研磨加工される。このため、外輪１１の内周面では、メッキが剥がされ、外輪１１の素地が露出した機械加工面（研磨面）となる。外輪１１の外周面の全体には、メッキ層１８が設けられている。
また、ハブ軸１２の全体にもメッキが施されている。ただし、外周面は軸軌道面１２ａ及び内輪軌道面１２ｂを含めて研磨加工がされることから、メッキが剥がされた領域が存在する。
【００２１】
〔研磨方法について〕
以下において説明する軌道輪の研磨方法は、図１に示す外輪１１の軌道面１１ａ，１１ｂを含む内周面を研磨する方法である。図３は、この研磨方法を説明する図であり、外輪１１、砥石７及び補助具２０を示している。砥石７は、研磨対象となる外輪１１の外輪軌道面１１ａ，１１ｂを含む内周面形状（仕上がり内周面形状）と一致する形状を有している。砥石７を、回転する外輪１１の内周面に接触させ、所定の押し付け力により径方向外側に押し付けることで、外輪１１の内周面が研磨される。
【００２２】
補助具２０について説明する。この補助具２０は、表面にメッキが施されている外輪１１の外輪軌道面１１ａ，１１ｂを含む内周面を、砥石７により研磨するために用いられるものである。補助具２０は、外輪１１に取り付けられる環状の治具２１と、この取り付けのために用いられる軸部材とを備えている。なお、本実施形態では、前記軸部材は、ボルト３１である。
【００２３】
治具２１は、図２に示すように、円環形状を有しており、外周面２２が真円状である。この外周面２２は、研磨加工されていることで、寸法精度（真円度）が高く、平滑な面となっている。そして、研磨加工の際、この外周面２２にシュー（当て金）８を接触させる（図３参照）。この治具２１には、複数の穴２３が設けられている。これら穴２３は、外輪１１のフランジ部５２が有する複数の穴５４それぞれの中心を通過する仮想円Ｃ１（図２参照）と直径が同じピッチ円（第二の仮想円）に沿って設けられている。以下、フランジ部５２の穴５４を第一穴５４と呼び、治具２１の穴２３を第二穴２３と呼ぶ。
【００２４】
更に本実施形態では、治具２１の第二穴２３は、フランジ部５２の第一穴５４と同数であり、第一穴５４と同じ周方向ピッチで形成されている。なお、図２の二点鎖線で示すように、第二穴２３は、第一穴５４よりも多く形成されていてもよく、この場合、治具２１を他の形態の外輪に固定することが可能となり、汎用性を持たせることができる。治具２１の第二穴２３は、図３に示すように、小径穴部２４と大径穴部２５とを有しているザグリ穴であり、治具２１の厚さ方向に貫通している。
【００２５】
第一穴５４はボルト孔からなり、ボルト３１がこの第一穴５４に螺合する。ボルト３１は六角穴付ボルトであり、ヘッド部３２は大径穴部２５に収容された状態となる。ボルト３１は、フランジ部５２の第一穴５４と、治具２１が有する第二穴２３とに挿し入れられ、ボルト３１を第一穴５４に螺合させて締め付けることで、ヘッド部３２が治具２１の一部を軸方向に挾むことができ、フランジ部５２に治具２１を取り付ける（固定する）ことができる。
【００２６】
ボルト３１の軸部３３の基部側には、ねじ山が形成されておらず、平滑な円筒面３４となっている。軸部３３の先端側にねじ山３９が形成されている。第二穴２３の小径穴部２４の内径と、ボルト３１の軸部３３の円筒面３４の外径とは同じである。これにより、ボルト３１を第一穴５４に螺合させた状態で、小径穴部２４とボルト３１の円筒面３４とが面で接触することができ、外輪１１と治具２１とは径方向について移動不能となり、これらは相対的に位置決めされた状態となる。
【００２７】
前記の構成を有する補助具２０を用いて外輪１１の軌道面１１ａ，１１ｂを含む内周面を砥石７により研磨する方法について説明する。この方法には、準備工程と加工工程とが含まれる。
【００２８】
準備工程では、外輪１１のフランジ部５２の側面５２ｅに、治具２１の側面を接触させた状態とし、ボルト３１をフランジ部５２の第一穴５４に螺合させ、ボルト３１を締め付ける。なお、外輪１１及び治具２１それぞれには周方向に沿って複数の穴５４，２３が形成されていることから、全ての穴５４，２３の組みにボルト３１を挿通させ、締め付ける。これにより、外周面２２が真円状である環状の治具２１を、外輪１１に同心状として取り付けることができる。
【００２９】
準備工程を終えると、その後の加工工程で砥石７による研磨が行われる。すなわち、治具２１が取り付けられている外輪１１を治具２１の中心線Ｑ回りに回転させ、そして、外輪軌道面１１ａ，１１ｂを含む内周面に対して砥石７を径方向内側から押し当てると共に、治具２１の真円状である外周面２２に対してシュー８を径方向外側から接触させて研磨を行う。
【００３０】
この研磨方法によれば、治具２１を外輪１１に同心状として取り付けることで、治具２１の真円状である外周面２２を、外輪１１の内周面を研磨する際の加工基準面とすることができる。そして、外輪軌道面１１ａ，１１ｂを含む内周面に対して砥石７を径方向内側から押し当てると共に、治具２１の外周面（加工基準面）にシュー８を径方向外側から接触させることで、砥石７が外輪１１を押す力をシュー８が受けることができ、外輪軌道面１１ａ，１１ｂを精度よく研磨することが可能となる。
【００３１】
したがって、従来のように外輪１１に加工基準面を設ける必要がなくなる。すなわち、従来では、メッキが施されている外輪の外周面に加工基準面を設けるために、外周面の一部を機械加工（研磨）し、メッキを一部剥がしていたが、本実施形態のように、外輪１１に固定した治具２１の一部を加工基準面とすることで、外輪１１の外周面のメッキを剥がす必要が無くなる。この結果、防錆効果の高い車輪用軸受装置（転がり軸受）が得られる。
【００３２】
また、従来では、図５に示すように、外輪９０が有する円筒状の外輪本体９３の外周面の一部を加工基準面９２としている。そして、この加工基準面９２を基準として外輪９０の内周面の研磨が行われる。しかし、研磨により軌道面９１の精度を高くすることができても、外輪９０が有するフランジ部９４の側面９５、つまり、ナックルとの合わせ面の精度（例えば直角度）が低い場合があり、この場合、車体側（ナックル側）の基準に対する軌道面９１，９１の位置や傾き等にばらつきが生じてしまう。つまり、フランジ部９４の側面９５の直角度が適切でないと（極端な場合）軌道面９１，９１が傾いてしまう。
しかし、本実施形態の研磨方法によれば（図３参照）、外輪１１が有するフランジ部５２の側面５２ｅの精度が低くても、このフランジ部５２に固定した治具２１の外周面２２を加工基準面として、外輪軌道面１１ａ，１１ｂの研磨が行われることから、この外輪１１を含む車輪用軸受装置１０が車体側のナックルに取り付けられると、車体側（ナックル側）の基準に対する外輪軌道面１１ａ，１１ｂの位置や傾き等の精度に関して、車体側の要求（車両全体としての要求）に応えることが可能となる。つまり、本実施形態では、車体側（ナックル）に外輪１１が取り付けられた状態を擬似的に再現して、研磨加工が行われるため、車両取り付け状態で高い精度を確保することが可能となる。
なお、フランジ部５２（側面５２ｅ）の精度（例えば直角度）が低下する原因の一つとして、外輪１１に対して熱処理を行うことで生じるひずみが挙げられる。
【００３３】
また、本実施形態の準備工程では、外輪１１のフランジ部５２が有する第一穴（ボルト穴）と治具２１が有する第二穴２３とにボルト３１（軸部材）を挿し入れて、フランジ部５２に治具２１を固定している。この方法によれば、治具２１を外輪１１に対して同心状に簡単に取り付けることができる。
【００３４】
また、前記のとおり、外輪１１のフランジ部５２の第一穴５４はボルト穴であり、治具２１の第二穴２３はボルト３１を挿通させる貫通穴であり、ボルト３１をボルト穴（第一穴５４）に螺合させて締め付けることで、外輪１１に治具２１を取り付けることができる。このため、ボルト穴（第一穴５４）にメッキが施されていても、治具２１を取り付けるためのボルト３１により、このボルト孔（第一穴５４）から、余分なメッキを除去することが可能となる。
【００３５】
前記実施形態（図３）では、外輪１１のフランジ部５２に形成されている第一穴５４がボルト穴である場合について説明したが、第一穴５４は、ねじ溝が形成されていない平滑な穴であってもよい。この場合、図４に示すように、フランジ部５２が有する第一穴５４と、治具２１が有する第二穴２３とに挿し入れる軸部材を、ナット付きの特殊ボルトとすればよい。ナット付きの特殊ボルトは、ボルト３５と、このボルト３５が螺合するナット部材３６とから構成されており、ナット部材３６の円筒外周面３７が、平滑な第一穴５４に嵌合する。そして、ナット部材３６は、第一穴５４よりも直径が大きい膨出部３８を有しており、ナット部材３６にボルト３５が螺合した状態で、膨出部３８がフランジ部５２に接触して抜け止めの作用を有する。これにより、前記実施形態（図３）の場合と同様にフランジ部５２に治具２１を固定することが可能となる。
【００３６】
前記実施形態では、外輪１１の内周側を研磨する方法について説明したが、ハブ軸１２の外周面に対しても同様の研磨方法を採用することができる。すなわち、研磨の対象となるワークは、表面にメッキが施されているハブ軸１２であり（図１参照）、このハブ軸１２は、外周に軸軌道面１２ａ及び内輪軌道面１２ｂを有していると共に、径方向外側に延びて設けられているフランジ部５６を有している。
【００３７】
そして、このハブ軸１２に対する研磨方法には、準備工程と加工工程とが含まれる。準備工程では、図示しないが、内周面が真円状である環状の治具を、ハブ軸１２に同心状として取り付ける。この際、ボルトや、図４で説明したナット付きの特殊ボルトを用いて、ハブ軸１２のフランジ部５６に治具を取り付けることができる。
【００３８】
そして、加工工程では、治具が取り付けられているハブ軸１２を、その治具の中心線回りに回転させ、軸軌道面１２ａ及び内輪軌道面１２ｂに対して砥石を径方向外側から押し当てると共に、治具の外周面に対してシュー（当て金）を、砥石とは反対側において径方向外側から接触させて研磨を行う。なお、前記砥石と前記シューとはハブ軸１２に対して１８０度離れた位置で径方向外側から接触する。例えば砥石が下から上向きに接触する場合、シューは上から下向きに接触する。
この研磨方法によれば、治具をハブ軸１２に同心状として取り付けることで、治具の外周面を、ハブ軸１２を研磨する際の加工基準面とすることができる。そして、ハブ軸１２の軸軌道面１２ａ及び内輪軌道面１２ｂに対して砥石を径方向外側から押し当てると共に、治具の外周面（加工基準面）にシュー（当て金）を径方向外側から接触させることで、砥石がハブ軸１２を押す力をシューが受けることができ、軸軌道面１２ａ及び内輪軌道面１２ｂを精度よく研磨することが可能となる。したがって、ハブ軸１２に加工基準面を設ける必要がなくなる。このため、表面にメッキが施されているハブ軸１２の一部に対して機械加工を行って加工基準面を設ける必要がなくなり、ハブ軸１２の一部のメッキが剥がされないで済む。
【００３９】
以上のとおり開示した実施形態はすべての点で例示であって制限的なものではない。つまり、本発明の補助具、研磨方法は、図示する形態に限らず本発明の範囲内において他の形態のものであってもよい。図１に示す形態では、転動体１３を玉とした場合について説明したが、円すいころ等であってもよい。
【符号の説明】
【００４０】
７：砥石                  ８：シュー                １０：車輪用軸受装置
１１：外輪                １１ａ：外輪軌道面        １１ｂ：外輪軌道面
１２：ハブ軸              １２ａ：軸軌道面          １２ｂ：内輪軌道面
１３：転動体              ２０：補助具              ２１：治具
２２：外周面              ２３：第二穴              ３１：ボルト（軸部材）
５２：フランジ部          ５４：第一穴              ５６：フランジ部
Ｑ：中心線                Ｃ１：仮想円
【図１】
2017124474.tif 000003
【図２】
2017124474.tif 000004
【図３】
2017124474.tif 000005
【図４】
2017124474.tif 000006
【図５】
2017124474.tif 000007